(57)【要約】【課題】変化に富み、カーテンような柔らかいイメージを与えることができる新規なブラインドを提供する。【解決手段】ヘッドレール（１０）内に複数のキャリア（１２）が設けられ、各キャリア（１２）からルーバー（１４）が吊下げられ、ルーバー（１４）を、その幅方向中央部を幅方向両端部に対して相対的に上下方向に変位させて元の幅寸法よりも小さくした絞り込まれた状態と、元の幅寸法の状態となったルーバーが開いた状態とに、切替可能とする。【選択図】  図２
2004204634.tif 000002
【特許請求の範囲】
【請求項１】
ヘッドレール（１０）内に複数のキャリア（１２）が設けられ、各キャリア（１２）からルーバー（１４）が吊下げられたブラインドにおいて、
ルーバー（１４）を、その幅方向中央部を幅方向両端部に対して相対的に上下方向に変位させてその幅寸法が元の自然の幅寸法よりも小さくなり絞り込まれた状態と、元の幅寸法の状態となった開いた状態とに、切替可能としたことを特徴とするブラインド。
【請求項２】
各キャリア（１２）にドラム（３０）が設けられ、ヘッドレール（１０）内にキャリア（１２）のドラム（３０）を回転させる回転伝達機構（３２）が設けられ、ドラム（３０）には、一端がルーバー（１４）に連結された絞りコード（２０、２２、２４）の他端が巻取り及び巻戻し可能に連結され、絞りコード（２０、２２、２４）の昇降によって各々のルーバー（１４）が絞り込まれる状態と、ルーバー（１４）が開いた状態とに切替可能にしたことを特徴とする請求項１記載のブラインド。
【請求項３】
ルーバー（１４）の上下端部には、中央部で折り曲げ自在なバー材（１６、１８）が設けられ、バー材（１６、１８）が直線を維持しているときはルーバー（１４）は開いた状態となり、バー材（１６、１８）が折れ曲がったときには、ルーバー（１４）は絞り込まれる状態となることを特徴とする請求項１または２記載のブラインド。
【請求項４】
絞りコードは、前記ルーバー（１４）の上端部に設けられたバー材（１６）の両端に連結された第１の絞りコード（２０）及び第２の絞りコード（２２）と、前記ルーバー（１４）の下端部に設けられたバー材（１８）の中央部（１８ａ）に連結された第３の絞りコード（２４）とから構成されることを特徴とする請求項３記載のブラインド。
【請求項５】
前記第１の絞りコード（２０）及び第２の絞りコード（２２）は、第３の絞りコード（２４）と逆巻きに、ドラム（３０）に対して巻取り及び巻戻し可能に連結されることを特徴とする請求項４記載のブラインド。
【発明の詳細な説明】
【０００１】
【発明の属する技術分野】
本発明は、ヘッドレール内に複数のキャリアを設け、各キャリアからルーバーを吊下げるブラインドに関し、特に新規なブラインドに関する。
【０００２】
【従来の技術】
従来、この種のブラインドとしては、縦型ブラインドが知られている。縦型ブラインドでは、ルーバーの左右方向への移動とルーバーの回転を行うことができ、これらの開閉操作または回転操作を行うことによって採光量を調整することができるようになっている。
【０００３】
縦型ブラインドのルーバーはクロスのものもあるが、シャープなイメージを与えるものが一般的であり、カーテンのような柔らかいイメージとは程遠い。
【０００４】
そのため縦型ブラインドは、意匠性に乏しいという問題があり、かかる問題を回避するべく、ルーバーの形状を通常の矩形状ではなく、変形形状にしたものも知られている（例えば、特許文献１、特許文献２参照）。例えば、特許文献１では、ルーバーを下端から上端まで凹凸変曲する変曲部とする形状としており、特許文献２では、ルーバーを非直線輪郭形状にした様々の例を開示している。
【０００５】
【特許文献１】
特開平６−２８８１６４号公報
【特許文献２】
特開平３−１３２５７６号公報
【０００６】
【発明が解決しようとする課題】
しかしながら、かかる従来のブラインドでは、ルーバーを変形形状にすることにより、意匠性を持たせているが、ブラインドの動作としては、通常の縦型ブラインドと同様であり、十分に変化に富んだものとはいえないという問題がある。
【０００７】
本発明はかかる課題に鑑みなされたもので、その目的は、変化に富み、カーテンような柔らかいイメージを与えることができる新規なブラインドを提供することである。
【０００８】
【課題を解決するための手段】
前述した目的を達成するために、請求項１記載の発明は、ヘッドレール内に複数のキャリアが設けられ、各キャリアからルーバーが吊下げられたブラインドにおいて、
ルーバーを、その幅方向中央部を幅方向両端部に対して相対的に上下方向に変位させてその幅寸法が元の自然の幅寸法よりも小さくなり絞り込まれた状態と、元の幅寸法の状態となった開いた状態とに、切替可能としたことを特徴とする。
【０００９】
ルーバー自体の形状を変化させて、ルーバーが絞り込まれる状態と、開いた状態とに切替えることとしたので、変化に富んだ新規なブラインドとすることができる。ルーバー自体の形状が変化するために、カーテンと同様に柔らかいイメージを与えることができる。
【００１０】
請求項２記載の発明は、請求項１記載のものにおいて、各キャリアにドラムが設けられ、ヘッドレール内にキャリアのドラムを回転させる回転伝達機構が設けられ、ドラムには、一端がルーバーに連結された絞りコードの他端が巻取り及び巻戻し可能に連結され、絞りコードの昇降によって各々のルーバーが絞り込まれる状態と、ルーバーが開いた状態とに切替可能にしたことを特徴とする。この構成により、ドラムの回転によりルーバーの形状を変形させることができる。
【００１１】
請求項３記載の発明は、請求項１または２記載のものにおいて、ルーバーの上下端部に、中央部で折り曲げ自在なバー材が設けられ、バー材が直線を維持しているときはルーバーは開いた状態となり、バー材が折れ曲がったときには、ルーバーは絞り込まれる状態となることを特徴とする。この構成により、上下端部にバー材を設けて、バー材の折れ曲がりによってルーバーの変形を制御することにより、確実にルーバーの変形を行わせることができると共に各ルーバーの変形を一同に揃えることができる。
【００１２】
請求項４記載の発明は、請求項３記載のものにおいて、絞りコードが、前記ルーバーの上端部に設けられたバー材の両端に連結された第１の絞りコード及び第２の絞りコードと、前記ルーバーの下端部に設けられたバー材の中央部に連結された第３の絞りコードとから構成されることを特徴とする。この構成により、第３の絞りコードを上昇させて第１及び第２の絞りコードを下降させるか、または第３の絞りコードを下降させて第１及び第２の絞りコードを上昇させるかすることにより、ルーバーを絞り込むことができる。
【００１３】
請求項５記載の発明は、請求項４記載のものにおいて、前記第１の絞りコード及び第２の絞りコードが、第３の絞りコードと逆巻きに、ドラムに対して巻取り及び巻戻し可能に連結されることを特徴とする。ドラムをいずれかの方向に回転させることにより、第３の絞りコードを上昇させて第１及び第２の絞りコードを下降させるか、または第３の絞りコードを下降させて第１及び第２の絞りコードを上昇させるかすることができ、ドラムを反対側に回転させることにより、元の状態に戻すことができるようになる。こうして、ドラムの回動のみでルーバーの形状の切替を行うことができる。
【００１４】
【発明の実施の形態】
以下、図面を用いて本発明の実施の形態を説明する。尚、以下の実施形態は本発明を限定するものではない。
【００１５】
図１は、本発明の実施形態に係るブラインドを表す正面図である。図において、ブラインドは、ブラケットによって窓枠や壁面等に固定されるヘッドレール１０を有しており、ヘッドレール１０内には、長手方向にスライド可能に複数のキャリア１２が配列されている。各キャリア１２には、フック１３を介してルーバー１４が吊下げられている。このキャリア１２がヘッドレール１０内において移動することで、ルーバー１４がヘッドレール１０の全幅にわたって広がる展張状態と、ヘッドレール１０の一端に集まって畳み込まれる状態または両端に分かれて畳み込まれる状態とに変化することができるようになっている（図３）。図１では、ルーバー１４は開いた状態となっており、この状態では、通常の縦型ブラインドと同様の外観を呈している。
【００１６】
図４は、ルーバー１４の内部構造を表す説明図である。ルーバー１４の上縁部にはアッパバー材１６が取り付けられ、下縁部にはロアバー材１８が取り付けられている。図５に示すように、ルーバー１４の生地の上縁部を折り返してアッパバー材１６を収容して、袋縫いすることにより、アッパバー材１６が取り付けられており、また、ルーバー１４の生地の下端部を折り返して、ロアバー材１８を収容して、袋縫いすることにより、ロアバー材１８が取り付けられる。生地には、適宜、開口または切欠が設けられて、その袋縫いした後、開口または切欠からアッパバー材１６及びロアバー材１８の中央部１６ａ、１８ａが露出するようになっている。生地は、柔軟な素材を用いるとよく、また、その形状は任意であり、矩形または側縁部に凹凸がある形状であってもよい。
【００１７】
アッパバー材１６とロアバー材１８はその中央部１６ａ、１８ａがヒンジ部となっており、ヒンジ部である中央部１６ａ、１８ａを中心として、折曲可能となっている。アッパバー材１６の中央部１６ａのヒンジ部は、フック１３に引っ掛けられる。好ましくは、アッパバー材１６とロアバー材１８は、直線状の状態から両端部が相対的に下方にのみ変位できるように、即ち、上方に凸になる向きにのみ折曲可能であるとよい。
【００１８】
図４、図６及び図７に示すように、アッパバー材１６の両端部１６ｂ、１６ｃには、第１の絞りコード２０、第２の絞りコード２２の下端がそれぞれ連結される。また、ロアバー材１８の中央部１８ａには、ルーバー１４の生地に沿って上下方向に伸びる第３の絞りコード２４が連結される。尚、好ましくは、ロアバー材１８の中央部１８ａ付近には錘が取り付けられているとよい。
【００１９】
第１及び第２の絞りコード２０、２２の上端は、それぞれキャリア１２内へと伸びており、キャリア１２内に設けられたガイドコロ２６、２６によって方向転換されて、キャリア１２内で回動可能に軸支されるドラム３０に巻取り及び巻戻し可能に連結される。また、第３の絞りコード２４の上端もキャリア１２内へと伸びており、ドラム３０に巻取り及び巻戻し可能に連結される。ここで、第１及び第２の絞りコード２０、２２と、第３の絞りコード２４とは、ドラム３０に対して反対回りに巻付かれる。よって、ドラム３０に第１及び第２の絞りコード２０、２２が巻取られると、第３の絞りコード２４は巻戻されて、ドラム３０に第１及び第２の絞りコード２０、２２が巻戻されると、第３の絞りコード２４は巻取られるようになっている。
【００２０】
ドラム３０は、ヘッドレール１０内を長手方向に伸びる絞込みロッド３２に嵌合しており、絞込みロッド３２と共に回転する。絞込みロッド３２の一端は、ヘッドレール１０の一端部に配置されたクラッチ及びプーリ（図示せず）に連結されて、プーリに操作コード３６が掛け渡されて、操作コード３６がヘッドレール１０から垂下されている。これら絞込みロッド３２及びクラッチ、プーリ等によって回転伝達機構が構成され、操作コード３６の操作力をドラム３０に伝達すると共にドラム３０からの回転力を伝達しないように動作する。
【００２１】
また、ヘッドレール１０には、絞込みロッド３２と平行にスクリューロッド３４が長手方向に伸びており、このスクリューロッド３４は、複数のキャリア１２の中のマスタキャリアにのみ螺合している。このスクリューロッド３４の一端は、プーリに連結されてプーリに操作コード３８が掛け渡されて、操作コード３８がヘッドレール１０から垂下されている。
【００２２】
以上のように構成されるブラインドにおいて、操作コード３８を操作することによりスクリューロッド３４を回転させて、このスクリューロッド３４に螺合したマスタキャリアを移動させて、マスタキャリアとスペーサによって連結された後続のキャリア１２を移動させ、またはマスタキャリアに隣接するキャリア１２を押し出していくことにより、キャリア１２を順次移動させていくことができる（図３参照）。こうして、キャリア１２に吊下げられたルーバー１４を左右方向に移動させることができる。この動作は、従来の縦型ブラインドと同様であるので、詳細説明は省略する。
【００２３】
操作コード３６を操作すると、絞込みロッド３２が回動する。図に示すルーバー１４が開いた状態から、絞込みロッド３２を回動させて、第３の絞りコード２４をドラム３０に巻取る方向に絞込みロッド３２を回動させると、第３の絞りコード２４が上昇して、ロアバー材１８の中央部１８ａが上昇する。同時に、第１及び第２の絞りコード２０、２２がドラム３０から巻戻されるために、第１及び第２の絞りコード２０、２２は下降して、アッパバー材１６の両端部１６ｂ、１６ｃが下降する。こうして、アッパバー材１６及びロアバー材１８は、上方に凸となる形状に折れ曲がり、ルーバー１４は、その下端中央部が上昇して、両端部が下降するように変形し、図２及び図８に示すように、絞り込まれた形状となる。これにより、ルーバー１４の幅寸法は小さくなって、採光量を多くすることができる。絞込みロッド３２の回動程度を調整することにより、絞り込み程度を調整することができて、採光量を変えることができる。
【００２４】
操作コード３６を反対側に操作して、絞込みロッド３２を先と反対側に回動させると、第３の絞りコード２４が下降し、第１及び第２の絞りコード２０、２２が上昇して、アッパバー材１６及びロアバー材１８が直線状態に戻り、ルーバー１４が元の幅寸法となり、採光量を少なくすることができる。
【００２５】
以上のように、ルーバー１４自体の形状が変化し、絞り込む形状に変化するために、これまでにない新規な動作をするとともに、ルーバー１４に柔軟な素材を用いることができるため、カーテンのようなソフトなイメージを与えることができる。そして、ルーバー１４の形状の変化度合いに応じて採光量を調整することができる。
【００２６】
ルーバー１４の上端及び下端に、アッパバー材１６及びロアバー材１８を設けることによって、各ルーバー１４の形状の変化が制御されて、確実にルーバー１４の変形を行わせることができると共に各ルーバー１４の変形を一同に揃えることができる。
【００２７】
尚、以上の実施形態では、ルーバー１４を絞り込む状態において、ルーバー１４の下端幅方向中央部が相対的に上昇し、幅方向両端部が相対的に下降したが、これに限るものではなく、反対に、ルーバー１４の幅方向中央部が相対的に下降し、幅方向両端部が相対的に上昇することでもよい。
【００２８】
【発明の効果】
以上説明したように本発明によれば、ルーバー自体の形状を変形させて、ルーバーが絞り込まれる状態と、開いた状態とに切替えることとしたので、変化に富んだ新規なブラインドとすることができる。ルーバー自体が変形するために、カーテンと同様に柔らかいイメージを与えることができる。
【図面の簡単な説明】
【図１】本発明の実施形態によるブラインドの正面図であり、ルーバーが開いた状態を表す。
【図２】本発明の実施形態によるブラインドの正面図であり、ルーバーが絞り込まれた状態を表す。
【図３】本発明の実施形態によるブラインドの正面図であり、ルーバーを移動させた状態を表す。
【図４】ルーバーの内部構造を表す説明図である。
【図５】ルーバーの生地の加工手順を表す説明図である。
【図６】キャリア及びルーバーの上端部を表す斜視図である。
【図７】ヘッドレール、キャリア及びルーバーの上端部を表す斜視図である。
【図８】ルーバーが絞り込まれた状態を表す図４相当図である。
【符号の説明】
１０  ヘッドレール
１２  キャリア
１４  ルーバー
１６  アッパバー材
１８  ロアバー材
２０  第１の絞りコード
２２  第２の絞りコード
２４  第３の絞りコード
３０  ドラム
３２  絞込みロッド（回転伝達機構）
【図１】
2004204634.tif 000003
【図２】
2004204634.tif 000004
【図３】
2004204634.tif 000005
【図４】
2004204634.tif 000006
【図５】
2004204634.tif 000007
【図６】
2004204634.tif 000008
【図７】
2004204634.tif 000009
【図８】
2004204634.tif 000010